(57)【要約】【課題】  最前進させたトレイを不測に横揺れさせないようにすること。【解決手段】  ローダーシャーシ２の両側板２ａ間にディスクＤ載置用トレイ１が前後進ａ，ｂ可能に配置され、該トレイ１の両側縁後端に一対のロック片２５が一体突設されると共に、該各ロック片２５に対向してローダーシャーシ２の両側板２ａの前端に一対のストッパ片２６が一体突設され、前記各ロック片２５の前端面２５ａからトレイ１の両側縁に沿って前方に延びる係合片２７が該トレイ１に一体形成され、前記各ストッパ片２６が弾性変位可能に形成されており、トレイオープン時に、トレイ１を前進ａさせ、該トレイ１を最前進位置まで前進ａさせる直前で各係合片２７を各ストッパ片２６に係合させて該各ストッパ片２６を弾性変位させ、各ロック片２５の前端面２５ａを各ストッパ片２６に当接させることによりトレイ１を最前進位置で停止させるようにした。【選択図】        図１
2009020942.tif 000002
【特許請求の範囲】
【請求項１】
ローダーシャーシの両側板間にディスク載置用トレイが前後進可能に配置され、ターン
テーブルと光ピックアップとを搭載したトラバースシャーシが前記ローダーシャーシ内に
上下動可能に配置され、前記トレイの両側縁後端に一対のロック片が一体突設されると共
に、該各ロック片に対向してローダーシャーシの両側板の前端に一対のストッパ片が一体
突設されており、プレイモードで、ターンテーブルによりディスクを高速回転させて、該
ディスクに記録されている情報を光ピックアップにより読み取り、トレイオープン時に、
ドライブシャーシを下動させた後、前記トレイを前進させ、各ロック片の前端面を各スト
ッパ片に当接させることによりトレイを最前進位置で停止させるようにしたディスク装置
において、前記各ロック片の前端面からトレイの両側縁に沿って前方に延びその高さを各
ロック片の高さよりも小さく設定した係合片が該トレイに一体形成され、前記各ストッパ
片が弾性変位可能に形成されており、トレイを最前進位置まで前進させる直前で各係合片
を各ストッパ片に係合させて該各ストッパ片を弾性変位させるようにしたことを特徴とす
るディスク装置。
【請求項２】
前記各ストッパ片が、ローダーシャーシの両側板の前端から後進方向に延びる弾性変位
可能なストッパ本体と、該ストッパ本体の先端に一体形成した頭部とを有し、該頭部の後
端面が前記ロック片に対向するストッパ後面とされると共に、その頭部の内側面が前記係
合片に対向するストッパ側面とされており、トレイを最前進位置まで前進させる直前で各
係合片を各ストッパ片のストッパ側面に係合させて該各ストッパ片を弾性変位させ、トレ
イを最前進位置まで前進させて各ロック片の前端面を各ストッパ片のストッパ後面に当接
させるようにしたことを特徴とする請求項１に記載のディスク装置。
【請求項３】
前記各ストッパ片が、ローダーシャーシの両側板の前端から後進方向に延びる弾性変位
可能なストッパ本体と、該ストッパ本体の先端に一体形成した頭部と、該頭部の上面に一
体突設した柱状体とを有し、該頭部の後端面が前記ロック片に対向するストッパ後面とさ
れており、トレイを最前進位置まで前進させる直前で各係合片を各柱状体に係合させて各
ストッパ片を弾性変位させ、トレイを最前進位置まで前進させて各ロック片の前端面を各
ストッパ片のストッパ後面に当接させるようにしたことを特徴とする請求項１に記載のデ
ィスク装置。
【請求項４】
ローダーシャーシの両側板間にディスク載置用トレイが前後進可能に配置され、ターン
テーブルと光ピックアップとを搭載したトラバースシャーシが前記ローダーシャーシ内に
上下動可能に配置され、前記トレイの両側縁後端に一対のロック片が一体突設されると共
に、該各ロック片に対向してローダーシャーシの両側板の前端に一対のストッパ片が一体
突設されており、プレイモードで、ターンテーブルによりディスクを高速回転させて、該
ディスクに記録されている情報を光ピックアップにより読み取り、トレイオープン時に、
ドライブシャーシを下動させた後、前記トレイを前進させ、各ロック片の前端面を各スト
ッパ片に当接させることによりトレイを最前進位置で停止させるようにしたディスク装置
において、前記各ロック片の前端面からトレイの両側縁に沿って前方に延びその高さを各
ロック片の高さよりも小さく設定した係合片が該トレイに一体形成され、前記各ストッパ
片が、ローダーシャーシの両側板の前端から後進方向に延びる弾性変位可能なストッパ本
体と、該ストッパ本体の先端に一体形成した頭部と、該頭部の上面に一体突設した柱状体
とを有し、該頭部の後端面が前記ロック片に対向するストッパ後面とされており、トレイ
を最前進位置まで前進させる直前で各係合片を各柱状体に係合させて各ストッパ片を弾性
変位させ、トレイを最前進位置まで前進させて各ロック片の前端面を各ストッパ片のスト
ッパ後面に当接させるようにしたことを特徴とするディスク装置。
【発明の詳細な説明】
【技術分野】
【０００１】
本発明は、例えばＤＶＤレコーダやＤＶＤプレーヤなどのディスク装置に関し、特に、
最前進させたトレイを不測に横揺れさせないようにしたものである。
【背景技術】
【０００２】
従来、ディスク装置の一例として図５〜図８に示すものがあり、これはＤＶＤレコーダ
であって、図５は同プレイモード状態を示す平面図、図６は同縦断面図、図７は同トレイ
オープン状態を示す一部切欠き平面図、図８（ａ）は同要部のトレイ最前進直前状態を示
す拡大平面図、図８（ｂ）は同要部のトレイ最前進状態を示す拡大平面図、図８（ｃ）は
同要部の拡大斜視図である。
【０００３】
図５〜図８に示すように、ディスクＤ載置用合成樹脂製トレイ１が合成樹脂製ローダー
シャーシ２に前後進ａ，ｂ可能に配置され、該ローダーシャーシ２内にシャーシ本体３ａ
とレバーシフト３ｂとからなる合成樹脂製トラバースシャーシ３が配置され、前記シャー
シ本体３ａの後部がゴムからなる後側弾性体４を介してローダーシャーシ２に上下動ｃ，
ｄ可能に連結されると共に、該シャーシ本体３ａの前部がゴムからなる前側弾性体５を介
してレバーシフト３ｂに連結され、前記シャーシ本体３ａ上にターンテーブル６付きスピ
ンドルモータ７とディスクＤの半径方向に移動可能な対物レンズＯＬ付き光ピックアップ
８とが搭載されている。
【０００４】
図５及び図６に示すように、前記ローダーシャーシ２の前部にカムスライダ１０が前後
進ａ，ｂ方向とは直交する左右方向ｅ，ｆに沿ってスライド可能に配置され、該カムスラ
イダ１０に形成したカム溝１１ａと、レバーシフト３ｂに突設されてカム溝１１ａに嵌入
するカムピン１１ｂとからなるカム機構１１によりカムスライダ１０とレバーシフト３ｂ
とが連動連結されている。
【０００５】
図７に示すように、前記ローダーシャーシ２の前部に第１ピニオン１３が正逆回転ｇ，
ｈ可能に配置され、該第１ピニオン１３に噛合可能なカムラック１４が前記カムスライダ
１０に設けられ、前記第１ピニオン１３に第２ピニオン１５が同心状に一体形成され、該
第２ピニオン１５に噛合可能なトレイラック１６が前記トレイ１の裏面に前後進ａ，ｂ方
向に沿って形成され、前記カムスライダ１０に左右一対のガイドピン１７が突設されると
共に、該各ガイドピン１７に係合可能な左右一対の傾斜面１８ａ付きガイド枠１８がトレ
イ１の裏面に突設されている。
【０００６】
図７中、２０はフィードモータ（図示せず）により正逆回転される第３ピニオンであっ
て、光ピックアップ８のラック２１に噛合して、該光ピックアップ８を往復移動させる。
図５中、２２はローダーシャーシ２に架設した横桁２３の中央部に一定範囲内昇降可能に
嵌合するクランパであって、ターンテーブル６とでディスクＤをクランプする。
【０００７】
図５及び図８に示すように、トレイ１の両側縁後端に所定高さｈ１の一対のロック片２
５が一体突設されると共に、該各ロック片２５に対向してローダーシャーシ２の両側板２
ａの前端に一対のストッパ片２６が一体突設されている。
【０００８】
プレイモードでは、図５及び図６に実線で示すように、トレイ１が後進ｂしてローダー
シャーシ２内に収納されると共に、トラバースシャーシ３が上動ｃしてターンテーブル６
とクランパ２２とでディスクＤがクランプされ、スピンドルモータ７によりターンテーブ
ル６を介してディスクＤを高速回転させると共に、フィードモータにより第３ピニオン２
０及びラック２１を介して光ピックアップ８を往復移動させ、対物レンズＯＬからディス
クＤにレーザ光を投射し、その反射光に基づいてディスクＤに記録されている情報を読み
取る。
【０００９】
トレイオープン時には、図７に示すように、フィードモータにより第３ピニオン２０及
びラック２１を介して光ピックアップ８を前進ａ方向に移動させ、それに連動するトリガ
ー機構（図示せず）を介してカムスライダ１０を矢印ｆ方向にスライドさせることにより
、カムラック１４を第１ピニオン１３に噛合させ、該第１ピニオン１３を正転ｇさせてカ
ムスライダ１０を矢印ｆ方向にさらにスライドさせることにより、カム機構１１を介して
トラバースシャーシ３を下動ｄさせ（図６仮想線参照）、ターンテーブル６上のディスク
Ｄをトレイ１上に移し替える。
【００１０】
その後、各ガイドピン１７を各ガイド枠１８の傾斜面１８ａに押し付けることにより、
トレイ１をわずかに前進ａさせてトレイラック１６を第２ピニオン１５に噛合させ、該第
２ピニオン１５をタイマー制御で一定時間（例えば２〜５秒）だけ正転ｇさせることによ
り、トレイラック１６を介してトレイ１を前進ａさせ、該トレイ１が最前進位置に達する
と、図８（ａ）に示す状態から図８（ｂ）に示す状態になって、各ロック片２５の前端面
２５ａを各ストッパ片２６のストッパ後面２６ａに当接させ、図７に示すように、トレイ
１を最前進位置で停止させる。
【００１１】
トレイイン時には、エジェクト釦またはトレイ１の前端面を指部で押すことにより、そ
れを検知する検知信号に基づいてフィードモータを逆転駆動させることにより、トレイ１
が後進ｂされ、以後は上記とは逆の手順で操作が行われる。なお、関連する技術として特
許文献１に記載したものがある。
【特許文献１】実用新案登録第３０９７８２２号公報
【発明の開示】
【発明が解決しようとする課題】
【００１２】
上記従来の構成では、図７に示すトレイ１の最前進状態で、トレイイン操作のため、ユ
ーザが指部をトレイ１の前端面に接触させたときに、そのトレイ１が不規則に横揺れして
、ユーザに不快感を与える。
【００１３】
また、図７に仮想線Ｔで示すように、トレイ１を最前進ａさせたときに、該トレイ１が
第２ピニオン１５の正転ｇ方向への回転力Ｆにより押圧されて横方向に首振りされ、ロー
ダーシャーシ２の中心軸Ｏ１に対してトレイ１の中心軸Ｏ２がわずかの角度αであるが位
置ずれして、外観上の体裁を悪くしたり、最前進位置のトレイ１を後進ｂさせたときに、
該トレイ１の首振りが修正され、その修正の際に雑音が発生して、ユーザに不快感を与え
るおそれがある。
【００１４】
本発明は、上記従来の欠点に鑑み、最前進させたトレイを不測に横揺れさせないように
したディスク装置を提供することを目的としている。
【課題を解決するための手段】
【００１５】
上記目的を達成するため、請求項１に記載の発明は、ローダーシャーシの両側板間にデ
ィスク載置用トレイが前後進可能に配置され、ターンテーブルと光ピックアップとを搭載
したトラバースシャーシが前記ローダーシャーシ内に上下動可能に配置され、前記トレイ
の両側縁後端に一対のロック片が一体突設されると共に、該各ロック片に対向してローダ
ーシャーシの両側板の前端に一対のストッパ片が一体突設されており、プレイモードで、
ターンテーブルによりディスクを高速回転させて、該ディスクに記録されている情報を光
ピックアップにより読み取り、トレイオープン時に、ドライブシャーシを下動させた後、
前記トレイを前進させ、各ロック片の前端面を各ストッパ片に当接させることによりトレ
イを最前進位置で停止させるようにしたディスク装置において、前記各ロック片の前端面
からトレイの両側縁に沿って前方に延びその高さを各ロック片の高さよりも小さく設定し
た係合片が該トレイに一体形成され、前記各ストッパ片が弾性変位可能に形成されており
、トレイを最前進位置まで前進させる直前で各係合片を各ストッパ片に係合させて該各ス
トッパ片を弾性変位させるようにしたことを特徴としている。
【００１６】
請求項２に記載の発明によれば、請求項１に記載の発明において、前記各ストッパ片が
、ローダーシャーシの両側板の前端から後進方向に延びる弾性変位可能なストッパ本体と
、該ストッパ本体の先端に一体形成した頭部とを有し、該頭部の後端面が前記ロック片に
対向するストッパ後面とされると共に、その頭部の内側面が前記係合片に対向するストッ
パ側面とされており、トレイを最前進位置まで前進させる直前で各係合片を各ストッパ片
のストッパ側面に係合させて該各ストッパ片を弾性変位させ、トレイを最前進位置まで前
進させて各ロック片の前端面を各ストッパ片のストッパ後面に当接させるようにしたこと
を特徴としている。
【００１７】
請求項３に記載の発明によれば、請求項１に記載の発明において、前記各ストッパ片が
、ローダーシャーシの両側板の前端から後進方向に延びる弾性変位可能なストッパ本体と
、該ストッパ本体の先端に一体形成した頭部と、該頭部の上面に一体突設した柱状体とを
有し、該頭部の後端面が前記ロック片に対向するストッパ後面とされており、トレイを最
前進位置まで前進させる直前で各係合片を各柱状体に係合させて各ストッパ片を弾性変位
させ、トレイを最前進位置まで前進させて各ロック片の前端面を各ストッパ片のストッパ
後面に当接させるようにしたことを特徴としている。
【００１８】
請求項４に記載の発明は、ローダーシャーシの両側板間にディスク載置用トレイが前後
進可能に配置され、ターンテーブルと光ピックアップとを搭載したトラバースシャーシが
前記ローダーシャーシ内に上下動可能に配置され、前記トレイの両側縁後端に一対のロッ
ク片が一体突設されると共に、該各ロック片に対向してローダーシャーシの両側板の前端
に一対のストッパ片が一体突設されており、プレイモードで、ターンテーブルによりディ
スクを高速回転させて、該ディスクに記録されている情報を光ピックアップにより読み取
り、トレイオープン時に、ドライブシャーシを下動させた後、前記トレイを前進させ、各
ロック片の前端面を各ストッパ片に当接させることによりトレイを最前進位置で停止させ
るようにしたディスク装置において、前記各ロック片の前端面からトレイの両側縁に沿っ
て前方に延びその高さを各ロック片の高さよりも小さく設定した係合片が該トレイに一体
形成され、前記各ストッパ片が、ローダーシャーシの両側板の前端から後進方向に延びる
弾性変位可能なストッパ本体と、該ストッパ本体の先端に一体形成した頭部と、該頭部の
上面に一体突設した柱状体とを有し、該頭部の後端面が前記ロック片に対向するストッパ
後面とされており、トレイを最前進位置まで前進させる直前で各係合片を各柱状体に係合
させて各ストッパ片を弾性変位させ、トレイを最前進位置まで前進させて各ロック片の前
端面を各ストッパ片のストッパ後面に当接させるようにしたことを特徴としている。
【発明の効果】
【００１９】
請求項１に記載の発明によれば、トレイを最前進させた状態で、トレイ側の各係合片を
ローダーシャーシ側の各ストッパ片に係合させることにより、該各ストッパ片を弾性変位
させ、その弾性変位による押圧力でトレイの後端部を両側から押さえているので、トレイ
イン操作のため、ユーザが指部をトレイの前端面に接触させたときに、そのトレイを不規
則に横揺れさせることがなく、使い勝手が良い。
【００２０】
また、最前進状態のトレイが横方向に傾くことがなく、外観上の体裁を良好に維持する
ことができる。
【００２１】
更に、各係合片が各ロック片の前端面からトレイの両側縁に沿って前方に延びており、
その各ロック片と各係合片とがトレイに一体突設されているから、部品点数が増加せず、
経済的である。
【００２２】
請求項２に記載の発明によれば、トレイオープン時にトレイを最前進させる直前で、各
係合片が各ストッパ片のストッパ側面に対して押し広げるようにして面接触しながら滑り
、トレイの前進にブレーキがかかるので、各ロック片の前端面を各ストッパ片のストッパ
後面に当接させてトレイを停止させる際の当接音が小さくなり、トレイを最前進位置で静
かに停止させることができる。
【００２３】
請求項３に記載の発明によれば、トレイオープン時にトレイを最前進させる直前で、各
係合片が各ストッパ片の柱状体に接触しながら滑り、トレイの前進にブレーキがかかるの
で、各ロック片の前端面を各ストッパ片のストッパ後面に当接させてトレイを停止させる
際の当接音が小さくなり、トレイを最前進位置で静かに停止させることができる。
【００２４】
特に、ストッパ後面が柱状体から離れた後方位置に形成されているから、そのストッパ
後面の横幅を充分に大きく設定することができ、その横幅が大きいストッパ後面にロック
片の前端面を確実に当接させてトレイを停止させることができる。
【００２５】
請求項４に記載の発明は第２の実施の形態（図４参照）に対応するものであって、これ
によれば、トレイを最前進させた状態で、トレイ側の各係合片をローダーシャーシ側の各
ストッパ片の柱状体に係合させることにより、該各ストッパ片を弾性変位させ、その弾性
変位による押圧力でトレイの後端部を両側から押さえているので、トレイイン操作のため
、ユーザが指部をトレイの前端面に接触させたときに、そのトレイを不規則に横揺れさせ
ることがなく、使い勝手が良い。
【００２６】
また、最前進状態のトレイが横方向に傾くことがなく、外観上の体裁を良好に維持する
ことができる。
【００２７】
更に、各係合片が各ロック片の前端面からトレイの両側縁に沿って前方に延びており、
その各ロック片と各係合片とがトレイに一体突設されているから、部品点数が増加せず、
経済的である。
【００２８】
しかも、トレイオープン時にトレイを最前進させる直前で、各係合片が各ストッパ片の
柱状体に接触しながら滑り、トレイの前進にブレーキがかかるので、各ロック片の前端面
を各ストッパ片のストッパ後面に当接させてトレイを停止させる際の当接音が小さくなり
、トレイを最前進位置で静かに停止させることができる。
【００２９】
特に、ストッパ後面が柱状体から離れた後方位置に形成されているから、そのストッパ
後面の横幅を十分に大きく設定することができ、その横幅が大きいストッパ後面にロック
片の前端面を確実に当接させてトレイを停止させることができる。
【発明を実施するための最良の形態】
【００３０】
図１〜図３は本発明の第１の実施の形態であるディスク装置を示すものであって、図１
は同プレイモード状態を示す平面図、図２は同トレイオープン状態を示す一部切欠き平面
図、図３（ａ）は同要部のトレイ最前進直前状態を示す拡大平面図、図３（ｂ）は同要部
のトレイ最前進状態を示す拡大平面図、図３（ｃ）は同要部の拡大斜視図である。
【００３１】
図１〜図３に示すように、各ロック片２５の前端面２５ａからトレイ１の両側縁に沿っ
て前方ａに延びその高さｈ２を各ロック片２５の高さｈ１よりも小さく設定した係合片２
７が該トレイ１に一体形成され、該係合片２７の前端面２７ａが前方ａに向かってトレイ
１側に所定傾斜角度α（例えば４５°）で傾斜されている。
【００３２】
各ストッパ片２６が、ローダーシャーシ２の両側板２ａの前端から後進ｂ方向に延びる
弾性変位可能なストッパ本体２６Ａと、該ストッパ本体２６Ａの先端に一体形成した頭部
２６Ｂとを有し、該頭部２６Ｂの後端面がロック片２５に対向するストッパ後面２６ａと
されると共に、その頭部２６Ｂの内側面が係合片２７に対向するストッパ側面２６ｂとさ
れ、該ストッパ側面２６ｂと係合片２７の外側面２７ｂとが左右方向ｅ，ｆに沿って所定
間隔β（例えば０．２〜０．４ｍｍ）だけ重合されている。上記以外の構成は図５〜図８
に示す構成とほぼ同じであるから、同一部分に同一符号を付してその説明を省略する。
【００３３】
図１に実線で示すプレイモードからトレイオープンモードに切り換えることにより、図
３（ａ）に示すように、トレイ１を前進ａさせ、各係合片２７の前端面２７ａを各ストッ
パ片２６の頭部２６Ｂに当接させることにより、各ストッパ片２６を外側に押し広げ、図
３（ｂ）に示すように、各係合片２７の外側面２７ｂを各ストッパ片２６のストッパ側面
２６ｂに押しつけて滑らせ、各ロック片２５の前端面２５ａを各ストッパ片２６のストッ
パ後面２６ａに当接させ、トレイ１を最前進位置で停止させる（図２参照）。
【００３４】
上記構成によれば、図２に示すように、トレイ１を最前進ａさせた状態で、トレイ１側
の各係合片２７をローダーシャーシ２側の各ストッパ片２６に係合させることにより、該
各ストッパ片２６を弾性変位させ、その弾性変位による押圧力でトレイ１の後端部を両側
から押さえているので、トレイイン操作のため、ユーザが指部をトレイ１の前端面に接触
させたときに、そのトレイ１を不規則に横揺れさせることなく直線的に後進させることが
でき、使い勝手が良い。
【００３５】
また、最前進状態のトレイ１が横方向に傾くことがなく、外観上の体裁を良好に維持す
ることができる。
【００３６】
更に、各係合片２７が各ロック片２５の前端面２５ａからトレイ１の両側縁に沿って前
方に延びており、その各ロック片２５と各係合片２７とがトレイ１に一体突設されている
から、部品点数が増加せず、経済的である。
【００３７】
しかも、トレイオープン時にトレイ１を最前進ａさせる直前で、各係合片２７が各スト
ッパ片２６のストッパ側面２６ｂに対して押し広げるようにして面接触しながら滑り、ト
レイ１の前進ａにブレーキがかかるので、各ロック片２５の前端面２５ａを各ストッパ片
２６のストッパ後面２６ａに当接させてトレイ１を停止させる際の当接音が小さくなり、
トレイ１を最前進位置で静かに停止させることができる。
【００３８】
図４は本発明の第２の実施の形態であるディスク装置を示すものであって、図４（ａ）
は同要部のトレイ最前進直前状態を示す拡大平面図、図４（ｂ）は同要部のトレイ最前進
状態を示す拡大平面図、図４（ｃ）は同要部の拡大斜視図である。
【００３９】
図４に示すように、各ストッパ片２６が、ローダーシャーシ２の両側板２ａの前端から
後進ｂ方向に延びる弾性変位可能なストッパ本体２６Ａと、該ストッパ本体２６Ａの先端
に一体形成した頭部２６Ｂと、該頭部２６Ｂの上面に一体突設した円柱状の柱状体２６Ｃ
とを有し、各ロック片２５の前端から下方に延びる舌片２８を形成することにより、その
舌片２８分だけ各ロック片２５の前端面２５ａが下方に延ばされ、その前端面２５ａに各
ストッパ片２６のストッパ後面２６ａが対向されている。
【００４０】
上記構成によれば、第１の実施の形態（図１〜図３参照）と同様の効果を得ることがで
きるものであって、図４（ａ）に示すようにトレイオープン時にトレイ１を前進ａさせ、
図４（ｂ）に示すように、トレイ１を最前進ａさせる直前で、各係合片２７が各ストッパ
片２６の柱状体２６Ｃに接触しながら滑り、トレイ１の前進ａにブレーキがかかるので、
各ロック片２５の前端面２５ａを各ストッパ片２６のストッパ後面２６ａに当接させてト
レイ１を停止させる際の当接音が小さくなり、トレイ１を最前進位置で静かに停止させる
ことができる。
【００４１】
特に、ストッパ後面２６ａが柱状体２６Ｃから所定幅ｔ〔図４（ａ）参照〕だけ離れた
後方位置に形成されているから、そのストッパ後面２６ａの横幅ｋ〔図４（ｃ）参照〕を
充分に大きく設定することができ、その横幅ｋを大きくしたストッパ後面２６ａにロック
片２５の前端面２５ａを確実に接触させてトレイ１を停止させることができる。
【図面の簡単な説明】
【００４２】
【図１】本発明の第１の実施の形態であるディスク装置におけるプレイモード状態を示す平面図である。
【図２】同トレイオープン状態を示す一部切欠き平面図である。
【図３】（ａ）は同要部のトレイ最前進直前状態を示す拡大平面図、（ｂ）は同要部のトレイ最前進状態を示す拡大平面図、（ｃ）は同要部の拡大斜視図である。
【図４】（ａ）は本発明の第２の実施の形態であるディスク装置における要部のトレイ最前進直前状態を示す拡大平面図、（ｂ）は同要部のトレイ最前進状態を示す拡大平面図、（ｃ）は同要部の拡大斜視図である。
【図５】従来例におけるプレイモード状態を示す平面図である。
【図６】同縦断面図である。
【図７】同トレイオープン状態を示す一部切欠き平面図である。
【図８】（ａ）は同要部のトレイ最前進直前状態を示す拡大平面図、（ｂ）は同要部のトレイ最前進状態を示す拡大平面図、（ｃ）は同要部の拡大斜視図である。
【符号の説明】
【００４３】
１          トレイ
２          ローダーシャーシ
３          トラバースシャーシ
６          ターンテーブル
８          光ピックアップ
２５        ロック片
２５ａ      ロック片の前端面
２６        ストッパ片
２６Ａ      ストッパ本体
２６Ｂ      ストッパ片の頭部
２６Ｃ      ストッパ片の柱状体
２６ａ      ストッパ後面
２６ｂ      ストッパ側面
２７        係合片
ｈ１        ロック片の高さ
ｈ２        係合片の高さ
ａ          前進
ｂ          後進
Ｄ          ディスク
【図１】
2009020942.tif 000003
【図２】
2009020942.tif 000004
【図３】
2009020942.tif 000005
【図４】
2009020942.tif 000006
【図５】
2009020942.tif 000007
【図６】
2009020942.tif 000008
【図７】
2009020942.tif 000009
【図８】
2009020942.tif 000010